(57)【要約】【課題】輝度の均一性を向上させることができる発光装置、線状発光装置、面状発光装置、液晶表示装置および電子機器を提供する。【解決手段】基材４１に搭載する発光素子４２と、この発光素子４２からの入射光を一部反射面から透過させるとともに、残りを反射面で導光板３１の入射端面３１Ａに向けて反射させる反射部材４３と、この反射面から反射部材４３を透過した後の光を、反射面で導光板３１の入射端面３１Ａに向けて反射させる全反射部材４５とを備えた。【選択図】図４
2008277607.tif 000002
【特許請求の範囲】
【請求項１】
基材と、
前記基材に設けられ、第１の光を発する発光素子と、
前記基材に設けられ、前記第１の光を第１の割合で通過し第２の光として出力し、前記第１の光を第２の割合で第１の方向に反射する第１の反射部材と、
前記基材に設けられ、前記第２の光を第３の割合で第２の方向に反射する第２の反射部材と、を備えた発光装置。
【請求項２】
前記第１の反射部材は、
前記第１の光を所定の透過率で透過させるとともに所定の反射率で反射させる反射面を備えるとともに、当該反射面を透過した前記光を透過させるブロックで構成した請求項１に記載の発光装置。
【請求項３】
前記第１の反射部材は、
前記第１の光を全て反射させる全反射面と、当該全反射面の一部に設けた前記発光素子からの光が通過する孔若しくはスリットと、を有するブロックで構成した請求項１に記載の発光装置。
【請求項４】
前記第１の反射部材は、
前記第１の光を全て反射させる反射面を有するブロックと、
当該ブロックと一体をなすとともに前記反射面の一部から反対面まで設けた蛍光体と、を備える請求項１に記載の発光装置。
【請求項５】
基材に搭載する発光素子と、
当該発光素子から入射する光を所定方向に向けて反射させる主反射部材と、
前記発光素子からの光を導く導光部材と、
前記主反射部材を基準に前記発光素子と反対側に配置し、前記導光部材を介して導光してきた前記発光素子からの光を所定の方向に向けて反射させる補助反射部材と、を備えた発光装置。
【請求項６】
請求項１から５の何れか１つに記載の発光装置がライン状に複数配置された線状発光装置であって、
前記発光装置のうち前記ライン方向の両端側に配置する発光装置は、それぞれ、前記ライン方向の最外側に相当する反射部材が、第２反射面を有する線状発光装置。
【請求項７】
請求項６に記載の線状発光装置と、この線状発光装置からの光を端面から入射するように前記線状発光装置と対向配置する導光板と、を備えた面状発光装置。
【請求項８】
請求項７に記載の面状発光装置と、この面状発光装置に積層配置する液晶パネルと、を備えた液晶表示装置。
【請求項９】
請求項８に記載の液晶表示装置を備えた電子機器。
【発明の詳細な説明】
【技術分野】
【０００１】
本発明は、輝度の均一性を向上させることができる発光装置、線状発光装置、面状発光装置、液晶表示装置および電子機器に関する。
【背景技術】
【０００２】
小型、軽量、省電力、超寿命といった利点を有し、表示用光源、小型電球の代替光源、さらには液晶表示装置（ＬＣＤ）用の光源などとして、発光ダイオード（ＬＥＤ）が広く普及している。また、このような発光ダイオードを搭載した発光装置としては、例えば、特許文献１に記載のものが知られている。
【０００３】
この発光装置１００は、例えば、図１５に示すように、半導体発光素子搭載部材１１０と、この半導体発光素子搭載部材１１０に搭載した発光ダイオード１２０とから構成されている。このうち、半導体発光素子搭載部材１１０は、高放熱部材１１１を含む基体１１２と、窓枠に相当する耐熱樹脂部材１１３とを、接合層１１４を介して接合、一体化してある。一方、発光ダイオード１２０は、上記半導体発光素子搭載部材１１０の、高放熱部材１１１上に半導体発光素子１２１を搭載したものであって、これを、蛍光体および／または保護樹脂１２２によって封止するとともに、半導体発光素子１２１からの光の取り出し方向にレンズ１２３を配設したものである。なお、同図中、符号１１５はボンディングワイヤ、１１６は金属リードを示す。
【特許文献１】特開２００５−１５９０４５号公報
【発明の開示】
【発明が解決しようとする課題】
【０００４】
ところで、このような構成の光源装置にあっては、一般に、輝度についての均一性が不十分である場合が多い。つまり、このような光源装置に用いられる発光ダイオードは、面発光タイプ（ＥＥＬＥＤ）のものも一部あるにはあるが、通常は点光源タイプのものが殆どである。従って、この光源装置を、例えば（導光板を備えた）液晶表示装置（ＬＣＤ）用の光源などとして使用する場合にあっては、導光板での入射端面における輝度の均一性を高めるための何らかの手段や工夫が必要となっている。
【０００５】
本発明は、上記事情に鑑みてなされたもので、輝度の均一性を向上させることができる発光装置、線状発光装置、面状発光装置、液晶表示装置および電子機器を提供することを目的とする。
【課題を解決するための手段】
【０００６】
本発明の発光装置は、基材と、前記基材に設けられ、第１の光を発する発光素子と、前記基材に設けられ、前記第１の光を第１の割合で通過し第２の光として出力し、前記第１の光を第２の割合で第１の方向に反射する第１の反射部材と、前記基材に設けられ、前記第２の光を第３の割合で第２の方向に反射する第２の反射部材と、を備えたものである。
【０００７】
前記第１の反射部材は、前記第１の光を所定の透過率で透過させるとともに所定の反射率で反射させる反射面を備えるとともに、当該反射面を透過した前記光を透過させるブロックで構成してもよい。
【０００８】
前記第１の反射部材は、前記第１の光を全て反射させる全反射面と、当該全反射面の一部に設けた前記発光素子からの光が通過する孔若しくはスリットと、を有するブロックで構成してもよい。
【０００９】
前記第１の反射部材は、前記第１の光を全て反射させる反射面を有するブロックと、当該ブロックと一体をなすとともに前記反射面の一部から反対面まで設けた蛍光体と、を備えるものでもよい。
【００１０】
また、本発明の発光装置は、基材に搭載する発光素子と、当該発光素子から入射する光を所定方向に向けて反射させる主反射部材と、前記発光素子からの光を導く導光部材と、前記主反射部材を基準に前記発光素子と反対側に配置し、前記導光部材を介して導光してきた前記発光素子からの光を所定の方向に向けて反射させる補助反射部材と、を備えたものである。
【００１１】
また、本発明の線状発光装置は、前述した発光装置がライン状に複数配置された線状発光装置であって、前記発光装置のうち前記ライン方向の両端側に配置する発光装置は、それぞれ、前記ライン方向の最外側に相当する反射部材が、第２反射面を有するものである。
【００１２】
さらに、本発明の面状発光装置は、前述した線状発光装置と、この線状発光装置からの光を端面から入射するように前記線状発光装置と対向配置する導光板と、を備えたものである。
【００１３】
また、本発明の液晶表示装置は、前述した面状発光装置と、この面状発光装置に積層配置する液晶パネルと、を備えたものである。
【００１４】
そして、本発明の電子機器は、前述した液晶表示装置を備えたものである。
【発明の効果】
【００１５】
本発明によれば、発光素子から入射する光を所定割合で透過若しくは通過させる反射部材と、この反射部材を透過若しくは通過した光を全反射させる全反射部材とを備え、発光素子からの光の一部を反射部材で反射させて所定の方向に向けて出射するとともに、反射部材を透過若しくは通過した残りの光を全反射部材で全反射させて所定の方向に向けて出射するので、発光素子から入射する光を無駄なく後方まで送り出して反射させることができるようになり、これにより、輝度の均一性を向上させることができる発光装置、線状発光装置、面状発光装置、液晶表示装置および電子機器を提供することが可能となる。
【発明を実施するための最良の形態】
【００１６】
以下、本発明の実施形態について、添付図面を参照しながら詳細に説明する。
(第１の実施形態)
図１は、本発明の実施形態に係る電子機器としての携帯電話機１を示すものであり、この携帯電話機１は、（本実施形態に係る発光装置４Ａを有する）液晶表示部２などを設けた上部筐体１Ａと、操作部１１などを設けた下部筐体１Ｂと、これら上部筐体１Ａと下部筐体１Ｂを回動可能に連結するヒンジ部１Ｃとを備えている。
【００１７】
液晶表示部２は、図２に示すように、液晶パネル本体２１と、面状発光装置３と、これらを収容するホルダ２５などを備えている。
【００１８】
液晶パネル本体２１は、互いに積層された一対のガラス基板２１３と、これらのガラス基板２１３を挟むように積層された一対の偏光板２１２と、一方のガラス基板２１３に実装されたドライバＩＣ２１１と、一方のガラス基板２１３に接続されたフレキシブルプリント基板（ＦＰＣ）２２とを備えている。
【００１９】
面状発光装置３は、本発明に係る発光装置４Ａと、発光装置４Ａに給電するためのフレキシブルプリント基板（ＦＰＣ）４Ｂと、発光装置４Ａからの光を液晶パネル本体２１へ導光するための導光手段である導光板３１と、導光板３１から出る光を拡散させたり、集光させるための複数の光学シート３３と、導光板３１内の光を光学シート３３側に反射させるための反射シート３２などを備えている。
【００２０】
導光板３１は、発光装置４Ａからの照明光を液晶パネル本体２１の有効発光領域の全面にわたって投光させて入射させるものである。反射シート３２は、発光装置４Ａからの光を入射した導光板３１において、（液晶パネル本体２１と対面する）表面とは反対の裏面から漏出する光などを反射させて再び導光板３１へ戻すことで、発光装置４Ａからの照明光を効率的に利用可能になっている。
【００２１】
発光装置４Ａは、前述したように、液晶表示部２の液晶パネル本体２１を照明するバックライト用の面状発光装置３の要部として用いられており、図３に示すように、導光板３１と対面する一端面３１Ａ（以下、「入射端面」とよぶ）に近接状態で（或いは密着状態で）対向配置されている。また、この発光装置４Ａは、図４に示すように、導光板３１の入射端面３１Ａに平行なＸ軸方向に沿って複数組（または単一でもよい）設けた線状発光装置である。
【００２２】
本実施形態の発光装置４Ａは、Ｘ方向に長尺な基材である基板４１と、この基板４１上に実装された発光素子であるＬＥＤチップ（以下、「ＬＥＤ」と略す）４２と、このＬＥＤ４２を挟んで両側に設けた第１の反射部材である反射部材４３と、これらの反射部材４３の間の窪んだ空間を埋めるように設けた蛍光体４４と、反射部材４３を透過後に入射する光を全て反射させる第２の反射部材である全反射部材４５とを備えている。
【００２３】
基板４１には、ＬＥＤ４２が実装されており、図示外の電源と電気的に接続されている。ＬＥＤ４２は、導光板３１の入射端面３１Ａに対して均一な配光パターンで特定波長の可視光を第１の光として出射するものであり、本実施形態では波長がおよそ４２０ｎｍ乃至４７０ｎｍの青色光を出射する青色ＬＥＤを用いている。
【００２４】
反射部材４３は、ＬＥＤ４２を挟んで両側に所定の傾斜角度の反射面を有する略台形状のブロックで構成されており、その両側の反射面は導光板３１の入射端面３１Ａに向けて拡開した状態で設置されている。本実施形態の反射部材４３は、ＬＥＤ４２からの光（第１の光）が入射すると一部を反射面で反射させると共に、その光の残りを透過させるような透過性を有する、つまり所定の透過率β（但し、０＜β＜１．００）を有する材質のもので構成されている。即ち、この反射部材４３は、ＬＥＤ４２からの光が互いに対向する反射面に入射すると、この反射面Ｒにおいて、その光を導光板３１の反射端面３１Ａに向けて所定の反射率α（＝１．００−β）で反射させるようになっている（但し、反射部材４３での吸収は近似的に無視できるものとする）。つまり、第１の反射部材としての反射部材４３は、ＬＥＤ４２からの第１の光を第１の割合（β）で通過し第２の光として出力し、第１の光を第２の割合（α＝１．００−β）で第１の方向（反射端面３１Ａに向かう方向）に反射する。
【００２５】
蛍光体４４は、ＬＥＤ４２からの青色（Ｂ）光が入射すると、その一部が蛍光物質中の電子と衝突することによって励起され、黄色（Ｙ＝Ｇ＋Ｒ）の波長の蛍光を放射するようになっている。その結果、このような蛍光現象によって発生する黄色成分と、蛍光物質に吸収されないで残った青色光とが合成されて白色の光が生成される。換言すれば、光の３原色、つまり青色（Ｂ）、緑色（Ｇ）、赤色（Ｒ）の波長の光が同時に存在することになり、この光の３原色が合成されることで、白色の光を発生させるものである。
なお、本実施形態では、青色ＬＥＤを用いて白色光を生成し、フルカラーを実現するために蛍光体４４を設置してあるが、所定波長の単色光で発光させるような場合には、勿論、その波長の光を出射する発光素子だけですみ、蛍光体４４は必要ではない。
【００２６】
全反射部材４５は、反射部材４３を透過した後の光である第２の光を全反射させるものであり、断面略二等辺三角形を有するブロックで形成されており、両側の斜面が反射面を構成する。この反射面は、アルミニウムや銀などの金属膜を成膜して反射面を形成している。また、固有波長の単色光だけを反射させて発光させるような構成の場合には、反射面にその波長に対応した構成の誘電体多層膜を成膜してもよい。第２の反射部材としての全反射部材４５は、反射部材４３を透過した後の光である第２の光を所定の第３の割合（本例では全反射のため１００％）で第２の方向（反射端面３１Ａに向かう方向）に反射する。
【００２７】
次に、本実施形態の作用について説明する。
携帯電話機１の電源を入れると、液晶表示部２内部の面状発光装置３の一部を構成する発光装置４Ａにおいて、基板４１上に実装されているＬＥＤ４２へ図示外の電源から電力が供給される。このため、ＬＥＤ４２が動作してから青色光（λＢ）が出射される。すると、ＬＥＤ４２から出射する光は、一部が蛍光体４４に含まれる蛍光物質と衝突することで黄色成分の蛍光（λＹ)を発生する。
【００２８】
このため黄色成分の光（λＹ）と残った青色（λＢ）光が合成されて白色光となり、図５に示すように、蛍光体４４内部を透過後に反射部材４３に入射する。そして、その反射部材４３の反射面の全面において、ここに入射してきた白色光のうちの一部（β）が反射部材４３内部を透過する。また、この反射面に入射してきた白色光のうち、残り（α＝１．００−β）の白色光が、その反射面で反射する。
さらに、反射部材４３内部を透過するＬＥＤ４２からの白色光のうち、全反射部材４５の反射面に達するものが、この反射面で全て反射する。
【００２９】
このようにして、ＬＥＤ４２からの光が導光板３１の反射端面３１Ａに対して長手方向（Ｘ方向）全体にわたってほぼ均一に入射可能となる。その後、導光板３１を透過した光が液晶パネル本体２１に直接入射するか、直接反射シート３２で反射後、導光板３１を透過し液晶パネル本体２１に入射して照明光となる。液晶パネル本体２１内の液晶部分に入射したＬＥＤ４２からの白色光は、表示内容に応じて液晶パネル本体２１から出射して使用者の目に入ることとなる。
【００３０】
なお、本実施形態の発光装置４Ａのうち反射部材４３と蛍光体４４の製造方法については、例えば金型のキャビティ内部に、予め、ＬＥＤチップの設置部分となる部分をその形状に合わせた窪みなどとして形成しておき、この金型内部に成形材料を射出するなどして蛍光体４４を形成しておく。その後、この形成した蛍光体４４を所定形状のキャビティを有する別の金型内部にセットしてから、射出成形などを行うことにより、蛍光体４４と一体の反射部材４３を樹脂成形する、所謂インサート成形によって容易に成形することができる。また、可能であれば、ダブルモールド成形であってもよい。
【００３１】
また、このような発光装置４Ａのうち反射部材４３と蛍光体４４の製造については、マトリックス状に縦横多数のものを樹脂形成で形成しておき、その後、縦横２方向に切り出して同時に多数のものを製造することも可能である。
【００３２】
(第２の実施形態)
次に、本発明の第２の実施形態について説明する。なお、本実施形態において、第１の実施形態と同一部分には同一符号を付して重複説明を避ける。
図６は、本発明の第２の実施形態に係る発光装置４Ｂを示すものであり、本実施形態の発光装置４Ｂでは、第１の実施形態の反射部材４３の替わりに第１の反射部材として反射部材４６を備えている。
【００３３】
反射部材４６は、ＬＥＤ４２を挟んで両側に設けた、第１の実施形態と同じ形状を有する左右一対のブロックで構成されるが、これらのブロックには、ＬＥＤ４２から入射する光を全反射させる全反射面４６Ａの一部に、ＬＥＤ４２からの光が通過する、貫通孔４６Ｂを設けている。
【００３４】
この貫通孔４６Ｂは、全反射面４６Ａのほぼ中央部から反対面の中央部まで貫通する断面略真円孔（又は略楕円孔など任意の断面形状でもよい）で構成されており、この貫通孔４６Ｂを通過した光のみが全反射部材４５の全反射面４５Ａで反射する。即ち、この反射部材４６は、蛍光体４４を透過後この反射板４６Ａに入射する光のうち、貫通孔４６Ｂの開口部分を除いた領域に入射する光が、導光板３１の反射端面３１Ａに向けて全て反射する（但し、反射部材４３での吸収は近似的に無視できるものとする）。換言すれば、本実施形態の場合、反射部材４６での反射率（第２の割合）αは、次式、
α＝１．００・［（全反射面４６Ａの面積）−（貫通孔４６Ｂの開口面積）］
／（全反射面４６Ａの面積）      ・・・（１）
但し、０＜α＜１．００
で一意に決定される。
【００３５】
一方、蛍光体４４を透過後に反射部材４６の全反射面４６Ａに向かうＬＥＤ４２からの光のうち、貫通孔４６Ｂの開口部分を通過する光の割合、つまり反射部材４６での透過率β（＝１．００−α；第１の割合）は、次式、
β＝１．００・（貫通孔４６Ｂの開口面積）／（全反射面４６Ａの面積）
・・・（２）
で一意に決定される。
【００３６】
次に、本実施形態の作用について説明する。
携帯電話機１の電源を入れると、ＬＥＤ４２が動作してから青色光（λＢ）が出射される。すると、ＬＥＤ４２から出射する光は、一部が蛍光体４４に含まれる蛍光物質と衝突することで黄色成分の蛍光（λＹ)を発生する。
【００３７】
この黄色成分の光（λＹ)と残った青色（λＢ）光が合成されて白色光となり、図７に示すように、蛍光体４４内部を透過した後に反射部材４６に入射する。ここで、反射部材４６の全反射面４６Ａのうち、貫通孔４６Ｂの開口部の領域以外の領域に進行してきた白色光のみ（α）が全反射面４６Ａで反射し、導光板３１の反射端面３１Ａに向かう。
【００３８】
また、この全反射面４６Ａのうち、貫通孔４６Ｂの開口部の領域に向かう光のみが、このまま貫通孔４６Ｂを通過する。そして、反射部材４６後方の全反射部材４５に向かい、この全反射部材４５の全反射面で反射後、導光板３１の反射端面３１Ａに向かう。
【００３９】
このように、ＬＥＤ４２から出射する光は、反射部材４６及び全反射部材４５で反射することにより、導光板３１の反射端面３１Ａに対して長手方向（Ｘ方向）の全体にわたってほぼ均一に入射可能となる。その後、第1の実施形態と同じく、導光板３１を透過した一部の光が液晶パネル本体２１に入射して照明光となり、表示内容に応じて液晶パネル本体２１から出射して使用者の目に入ることとなる。
【００４０】
(第３の実施形態)
次に、本発明の第３の実施形態について説明する。なお、本実施形態において、第１、第２の実施形態と同一部分には同一符号を付して重複説明を避ける。
図８は、本発明の第３の実施形態に係る発光装置４Ｃを示すものであり、本実施形態の発光装置４Ｃでは、第２の実施形態の反射部材４６の替わりに第１の反射部材として反射部材４７を備えている。
【００４１】
反射部材４７は、例えば図９に示すように、第２の実施形態で用いたものと同様の反射部材を構成するブロック４７Ａの貫通孔４７Ｃに、蛍光物質を含んだ透過ブロック４７Ｄが一体に埋設されている。なお、この反射部材４７は、インサート成形又は２色成形などの所謂ダブルモールドによって形成されている。
【００４２】
透過ブロック４７Ｄは、ＬＥＤ４２から出射し蛍光体４４内部を透過して全反射面４７Ｂの開口部（透過ブロック４７Ｄの一端部。以下、「入射端面」とよぶ）に入射する光に対して、一部を蛍光物質との衝突で励起させて特定波長の光を発生させるとともに、この発生する光を透過後に全反射部材４５の反射面にて反射させる。本実施形態の透過ブロック４７Ｄでは、長波長成分の光を多く発生するようになっており、導光板３１に入射する光の波長遷移を補償して波長のばらつきを抑制するようになっている。
【００４３】
なお、反射部材４７は、全反射面４７Ｂに露出している透過ブロック４７Ｄの入射端面での（フレネル）反射を防止するため、例えば反射防止膜（ＡＲ）などが入射端面に成膜されており、この入射端面に入射する光を反射させずに透過させるようになっている。
【００４４】
次に、本実施形態の作用について説明する。
携帯電話機１の電源を入れ、ＬＥＤ４２が動作して青色光（λＢ）が出射されると、一部が蛍光体４４に含まれる蛍光物質と衝突することで黄色成分の蛍光（λＹ)を発生する。この黄色成分の光（λＹ)と残った青色（λＢ）光が合成されると、白色光となり、図８及び図１０に示すように、蛍光体４４内部を透過後に一部は反射部材４７に入射する。反射部材４７の全反射面４７Ｂのうち、透過ブロック４７Ｄの入射端面以外の領域に進行してきた光のみ（α）が全反射面４７Ｂで反射し、導光板３１の反射端面３１Ａに向かう。
【００４５】
また、この全反射面４６Ａのうち、透過ブロック４７Ｄの入射端面に向かう光が、この入射端面で反射せずにこのまま透過ブロック４７Ｄを透過する。そして、この透過の際に、長波長成分の光を多く発生させる。その後、透過ブロック４７Ｄを透過した光（β）は、全反射部材４５の反射面で反射し、導光板３１に入射することにより、導光板３１内での光の波長遷移を補償して波長のばらつきを抑制する。
【００４６】
このように、ＬＥＤ４２からの出射光は、反射部材４７及び全反射部材４５で反射することにより、導光板３１の反射端面３１Ａに対して長手方向（Ｘ方向）の全体にわたってほぼ均一に入射可能となる。従って、導光板３１の反射端面３１Ａに対して長手方向（Ｘ方向）全体にわたってほぼ均一に光の波長遷移を補償し、波長のばらつきを抑制する。
【００４７】
(第４の実施形態)
次に、本発明の第４の実施形態について説明する。なお、本実施形態において、第１の実施形態と同一部分には同一符号を付して重複説明を避ける。
図１１は、本発明の第４の実施形態に係る発光装置４Ｄを示すものであり、本実施形態の発光装置４Ｄでは、第１の実施形態の反射部材４３の替わりに、反射面で全反射させる反射ブロックからなる（主反射部材を構成する）反射部材４８を用いているとともに、端面発光形の発光素子であるＬＥＤ４９からの光を（補助反射部材を構成する）全反射部材４５の全反射面４５Ａ付近まで導光する（導光手段として）光ファイバＦを備えている。
【００４８】
反射部材４８は、反射面でここに入射する光を全て反射させるようになっており、非透過性の材料で形成されている。このように、本実施形態の反射部材４８は、第１の実施形態のような透過性材料で形成する必要がないが、もし透過性材料で形成する場合には、反射面Ｒに例えば銀やアルミニウムなどの金属反射膜を蒸着させておけばよい。
【００４９】
光ファイバＦは、ＬＥＤ４９からの光を、蛍光体４４内部を透過後に取り込んで、全反射部材４５の全反射面付近まで送り込むようになっている。本実施形態では、使用する波長が光通信用に比べて短波長である可視光域（即ち、３８０ｎｍ〜７６０ｎｍ前後）に含まれる光（白色光）であるので、石英ガラスなどで形成した光ファイバよりもこの波長域での減衰量が少ない、ＰＯＦ（Plastic Optical Fiber）の方を用いている。
【００５０】
また、この光ファイバＦは、取り込む基端側に球レンズなどの適宜の光学素子を付設することで、効率的に取り込ませるようにしてもよい。また、光ファイバＦの先端側には、拡散用の適宜のレンズなどを設置して全反射部材４５の幅方向（図１２ではＺ方向）に均一に拡散させるのが好ましい。
なお、本実施形態では導光手段として、この光ファイバを用いたが、これ以外に、例えば、同様の効果を有するものであれば、中空ホース状のチューブなどであっても構わない。
【００５１】
なお、本実施形態では、全反射部材４５の全反射面４５Ａを、図１２のＺ方向に拡散するように配置したが、図１３のＸ方向に拡散するように配置してもよい。さらに、図１４に示すように、全反射部材４５を２個平行に配置させても良い。
【００５２】
次に、本実施形態の作用について説明する。
携帯電話機１の電源を入れＬＥＤ４２から青色光（λＢ）が出射され、一部が蛍光体４４に含まれる蛍光物質と衝突することで黄色成分の蛍光（λＹ)を発生する。この黄色成分の光（λＹ)と残った青色（λＢ）光は合成されて白色光となり、図１１及び図１２に示すように、蛍光体４４内部を透過後、一部が反射部材４８にて反射し、導光板３１の反射端面３１Ａに向かう。
【００５３】
一方、蛍光体４４内部を透過した光のうち、光ファイバＦ内に取り込まれその先端側に向かう光は、このまま光ファイバＦ内を伝播して全反射部材４５の全反射面付近まで送り込まれる。その後、この光は、全反射部材４５の全反射面の幅（Ｙ）方向に拡散した状態で反射し、導光板３１に入射する。これにより、導光板３１における輝度の均一性を向上させることができる
【００５４】
なお、本発明は上述した実施形態に何ら限定されるものではなく、その要旨を逸脱しない範囲において種々の形態で実施し得るものである。例えば、第１、第４の実施形態において、反射部材としてブロック状のもので構成したが、この替わりに、薄板状のもので反射部材を構成してもよい。
【産業上の利用可能性】
【００５５】
本発明の発光装置、線状発光装置、面状発光装置は、基材に搭載する発光素子と、この発光素子から入射する光を所定割合で透過若しくは通過させる反射部材と、この反射部材を透過若しくは通過した後の光を全反射させる全反射部材とを備え、発光素子からの光の一部を反射部材で反射させて所定の方向に向けて出射するとともに、反射部材を透過若しくは通過した光を全反射部材で反射させて所定方向に向けて投光するように構成したので、輝度の均一性を向上させることができ、表示用光源、小型電球の代替光源、或いは液晶表示装置（ＬＣＤ）用の光源等、さらにはこれらの光源を使用した液晶表示装置および電子機器等に有用である。
【図面の簡単な説明】
【００５６】
【図１】本発明に係る発光装置を備えた液晶表示部を有する携帯電話機を示す概略斜視図
【図２】その発光装置を備えた液晶表示部の概略構成図
【図３】本発明の第１の実施形態に係る発光装置及び導光板の一部を示す破断図
【図４】（Ａ）はその発光装置及び導光板の一部を示す断面図、（Ｂ）はその正面図
【図５】その発光装置及び導光板の一部を示す斜視図
【図６】（Ａ）は本発明の第２の実施形態に係る発光装置及び導光板の一部を示す断面図、（Ｂ）はその正面図
【図７】その発光装置の一部を示す斜視図
【図８】（Ａ）は本発明の第３の実施形態に係る発光装置及び導光板の一部を示す断面図、（Ｂ）はその正面図
【図９】その発光装置の反射部材を示す分解斜視図
【図１０】その発光装置の一部を示す斜視図
【図１１】（Ａ）は本発明の第４の実施形態に係る発光装置及び導光板の一部を示す断面図、（Ｂ）はその正面図
【図１２】その発光装置の反射部材を示す分解斜視図
【図１３】その発光装置の反射部材の変形例を示す斜視図
【図１４】（Ａ）はその発光装置の反射部材のさらに別の変形例を示す平面図、（Ｂ）はその正面図
【図１５】従来の発光装置を示す断面図
【符号の説明】
【００５７】
１  携帯電話機（電子機器）
２  液晶表示部（液晶表示装置）
３  面状発光装置
３１  導光板
３１Ａ  入射端面
４Ａ、４Ｂ、４Ｃ、４Ｄ  発光装置（線状発光装置）
４１  基板
４２、４９  発光素子（ＬＥＤ）
４３、４６、４７  反射部材
４４  蛍光体
４５  全反射部材（補助反射部材）
４６Ａ  全反射面
４６Ｂ  貫通孔
４７Ｂ  全反射面
４７Ｃ  貫通孔
４７Ｄ  透過ブロック
４８  反射部材（主反射部材）
Ｆ  光ファイバ（導光手段）
α  反射割合
β  透過割合
【図１】
2008277607.tif 000003
【図２】
2008277607.tif 000004
【図３】
2008277607.tif 000005
【図４】
2008277607.tif 000006
【図５】
2008277607.tif 000007
【図６】
2008277607.tif 000008
【図７】
2008277607.tif 000009
【図８】
2008277607.tif 000010
【図９】
2008277607.tif 000011
【図１０】
2008277607.tif 000012
【図１１】
2008277607.tif 000013
【図１２】
2008277607.tif 000014
【図１３】
2008277607.tif 000015
【図１４】
2008277607.tif 000016
【図１５】
2008277607.tif 000017